(57)【要約】      （修正有）【課題】封入球式遊技機において不正な遊技球の交換を検出する。【解決手段】遊技機本体内に所定数封入した遊技球を、発射位置から遊技領域に発射して遊技を行う一方、遊技を終えた遊技球を回収して発射位置に導いて遊技球を循環使用する循環経路２１０を備えた封入球式遊技機において、非磁性体で形成した遊技球を封入し、磁性体で形成された遊技球を吸着して保持する磁石２５１を循環経路２１０の一側に備える。【選択図】図６
2011136208.tif 000002
【特許請求の範囲】
【請求項１】
遊技機本体内に所定数封入した遊技球を、発射位置から遊技領域に発射して遊技を行う一方、遊技を終えた遊技球を回収して発射位置に導いて遊技球を循環使用する循環経路を備えた封入球式遊技機において、
非磁性体で形成した遊技球を封入し、
磁性体で形成された遊技球を吸着して保持する磁石を前記循環経路の一側に備えることを特徴とする封入球式遊技機。
【請求項２】
前記磁石を電磁石により構成し、
前記電磁石の磁力を変化させる磁力調整手段を備える制御装置を備えることを特徴とする請求項１に記載の封入球式遊技機。
【請求項３】
非磁性体を検出可能であり、遊技球を検出する球検出器を前記循環経路の途中に備えることを特徴とする請求項２に記載の封入球式遊技機。 
【発明の詳細な説明】
【技術分野】
【０００１】
本発明は、遊技機本体内に所定数封入した遊技球を、発射位置から遊技領域に発射して遊技を行う一方、遊技を終えた遊技球を回収して発射位置に導いて遊技球を循環使用する循環経路を備えた封入球式遊技機に関する。
【背景技術】
【０００２】
従来、磁石を使用した不正を防止するために遊技機内に封入した非磁性体の遊技球を使用して遊技をおこなう遊技機がある（例えば、特許文献１参照）。
【先行技術文献】
【特許文献】
【０００３】
【特許文献１】特開平４−３２２６７４号公報
【発明の概要】
【発明が解決しようとする課題】
【０００４】
しかし、従来のように封入球を非磁性体で構成しても磁性体の遊技球を封入球に混ぜられたり、全ての封入球を磁性体の遊技球に交換されたりする不正をされた場合には、不正を防止することはできない。
また、磁石を使用した不正の他に小径球を封入する不正がある。この場合の小径球は、手に入りやすいベアリングの球を使用することが多く、ベアリングの球は磁性体で形成されている。
このように、封入球から磁性体の球を取り除くことはセキュリティの面から必要不可欠である。
【０００５】
本発明の目的は、遊技機本体内に所定数封入した遊技球を、発射位置から遊技領域に発射して遊技を行う一方、遊技を終えた遊技球を回収して発射位置に導いて遊技球を循環使用する循環経路を備えた封入球式遊技機において、不正な遊技球の交換を検出することである。
【課題を解決するための手段】
【０００６】
以上の課題を解決するため、請求項１に記載の発明は、遊技機本体内に所定数封入した遊技球を、発射位置から遊技領域に発射して遊技を行う一方、遊技を終えた遊技球を回収して発射位置に導いて遊技球を循環使用する循環経路を備えた封入球式遊技機において、
非磁性体で形成した遊技球を封入し、
磁性体で形成された遊技球を吸着して保持する磁石を前記循環経路の一側に備えることを特徴とする。
【０００７】
ここで、「非磁性体の遊技球」は、例えば、オーステナイト系ステンレス鋼として高Ｃｒ−Ｎｉ−Ｍｎ鋼（ＪＩＳではＳＵＳ２０１〜２０２）、Ｃｒ−Ｎｉ−Ｍｏ鋼（ＪＩＳではＳＵＳ３０１〜３８５）、及びニッケルモリブデン合金としてはハステロイＢ、さらにニッケルクロムモリブデン合金としてハステロイＦからなる遊技球である。
また、「磁石」は、永久磁石でも良いし電磁石でも良い。
【０００８】
請求項１に記載の発明によれば、非磁性体で形成した遊技球を封入し、磁性体で形成された遊技球を吸着して保持する磁石を循環経路の一側に備えるので、磁性体の遊技球を確実に検出でき、不正な遊技球の交換を検出できる。すなわち、磁石による不正を行う目的で、磁性体の遊技球を封入球に混ぜられたり、全ての封入球を磁性体の遊技球に交換されたりする不正をされた場合に、その磁性体の遊技球を磁石により吸着して保持することで検出できる。また、小径球としてベアリングの球を混ぜられる不正をされた場合でも検出できる。
【０００９】
請求項２に記載の発明は、請求項１に記載の封入球式遊技機であって、前記磁石を電磁石により構成し、
前記電磁石の磁力を変化させる磁力調整手段を備える制御装置を備えることを特徴とする。
【００１０】
請求項２に記載の発明によれば、磁石を電磁石により構成し、電磁石の磁力を変化させる磁力調整手段を備える制御装置を備えるので磁力を調整できる。すなわち、電磁石の個体差や組み付け誤差により発生する磁力のばらつきを、電磁石の磁力を変化させることで調整できる。また、各ホールで独自の封入球を封入する場合は、その封入球に合わせて調整できる。例えば、磁石不正ができないような弱い磁性体の遊技球を封入した場合に、その封入球を検出しないように調整できる。
【００１１】
請求項３に記載の発明は、請求項２に記載の封入球式遊技機であって、非磁性体を検出可能であり、遊技球を検出する球検出器を前記循環経路の途中に備えることを特徴とする。
【００１２】
請求項３に記載の発明によれば、非磁性体を検出可能であり、遊技球を検出する球検出器を循環経路の途中に備えるので、循環経路内の遊技球を検出可能となる。
【発明の効果】
【００１３】
本発明によれば、非磁性体で形成した遊技球を封入し、磁性体で形成された遊技球を吸着して保持する磁石を循環経路の一側に備えるので、磁性体の遊技球を確実に検出でき、不正な遊技球の交換を検出できる。すなわち、磁石による不正を行う目的で、磁性体の遊技球を封入球に混ぜられたり、全ての封入球を磁性体の遊技球に交換されたりする不正をされた場合に、その磁性体の遊技球を磁石により吸着して保持することで検出できる。また、小径球としてベアリングの球を混ぜられる不正をされた場合でも検出できる。
【図面の簡単な説明】
【００１４】
【図１】本発明を適用した一実施の形態の構成を示す封入球式遊技機および台間機の正面図である。
【図２】封入球式遊技機の背面図である。
【図３】封入球循環装置の後壁部材側から見た斜視図であって、磁性体球検出装置を分解した図である。
【図４】封入球循環装置の前壁部材の背面を示す図であって、球送り部材が下降した状態を示す図である。
【図５】封入球循環装置の前壁部材の背面を示す図であって、球送り部材が上昇した状態を示す図である。
【図６】待機経路の磁性体球検出装置が設けられた部分を示す斜視図である。
【図７】遊技機の制御系の一部を示すブロック図である。
【図８】変形例にかかる封入球式遊技機における、待機経路の磁性体球検出装置が設けられた部分を示す斜視図である。
【図９】変形例にかかる封入球式遊技機における、遊技機の制御系の一部を示すブロック図である。
【図１０】磁性体球検出処理を説明するためのフローチャートである。
【発明を実施するための形態】
【００１５】
以下、この発明の実施形態について、図面を参照して説明する。
本実施形態の遊技機は、本発明をパチンコ遊技機としての封入球式遊技機に応用したものであり、例えば、遊技内容等は、従来のパチンコ遊技機と同様とすることが可能となっていると共に、外形等のサイズも同様となっており、パチンコ遊技店の現状の島設備に設置可能となっているが、島設備の球供給機構や球排出機構を用いることがないものとなっている。すなわち、封入球式遊技機は、予め封入された遊技球を用いる。封入される遊技球は非磁性体の材質からなる遊技球であり、磁石による不正行為が行われないようにされている。
また、封入球式遊技機は、例えば台間機（球貸機）等への現金の投入等により発生する遊技価値情報（例えば、金額情報）を入力され、遊技価値情報を遊技に使用可能な遊技球数（遊技媒体数）である持球数のデータに変換し、このデータに対応して封入された遊技球を遊技領域に発射可能とし、遊技球を発射すると発射された遊技球数に対応して持球数のデータを減算するようになっている。また、発射された遊技球が各種入賞口や変動入賞装置等の入賞具に入賞して賞球（遊技球）が発生した場合は、実際の遊技球を払い出すことなく、前記持球数のデータに賞球数が加算されるようになっている。また、持球数のデータが０となると、遊技球の発射ができない状態となる。この状態で遊技価値情報としての金額情報や貯球された遊技媒体数の情報等を遊技媒体数のデータに変換すると、持球数のデータに変換された遊技媒体数のデータが加算され、再び遊技球の発射が可能となる。
【００１６】
すなわち、封入球式遊技機は、遊技者の保有する持球数により遊技可能になり、前記発射により持球数から減算処理し、遊技球の入賞により持球数に加算処理するものである。また、発射された遊技球は、遊技領域に至って一部は、入賞領域に入賞して遊技盤の裏面側に導かれてセーフ球として回収されると共に、残りの入賞しなかった遊技球はアウト球として回収され、これら回収された遊技球が循環流路を通って再び発射可能な状態となるようになっており、遊技球は封入球式遊技機内で循環するようになっている。また、ファールとなった遊技球も循環流路に回収されると共に、ファールとなった遊技球は遊技に係わることなく（入賞の機会を得ることなく）、回収されて再び発射可能とされるので、ファール球の発生に基づき、遊技価値情報の持球数のデータにファール球数が加算される。
【００１７】
図１，２に示すように、本実施形態の封入球式遊技機１００は、矩形枠状に構成された機枠１１０と、該機枠１１０内の前面側をちょうど覆うと共に、該機枠１１０に対し回動可能に矩形状の前面枠１２０が軸支されている。すなわち、前面枠１２０は、機枠１１０に対してドア状に開閉可能とされている。また、遊技盤１等の各種部材が取り付けられた前面枠１２０の本体である前面枠本体１３０には、その中央部から上端部に至る略方形の開口部１３２が設けられ、該開口部１３２に前面側が遊技領域とされた遊技盤１が嵌め込まれている。また、前面枠本体１３０の開口部１３２に遊技盤１が嵌め込まれた状態で、遊技盤１の前面は、前面枠本体１３０の開口部１３２から露出された状態となっている。
【００１８】
また、前面枠本体１３０には、該前面枠本体１３０に取り付けられた遊技盤１の遊技領域を視認可能な開口窓部１４４を有し、この開口窓部１４４を覆うクリア部材としての二重のガラス板１４１を保持するクリア部材保持枠１４０が設けられている。前面枠本体１３０は、前面枠１２０の各部材の取付ベースとなるものであって、上述のように、矩形枠状の機枠１１０内にちょうど収まるように、概略矩形板状に構成されると共に、その中央から上端部に渡る部分に遊技盤１を嵌め込んで収容するための方形状の開口部１３２が形成されている。また、前面枠本体１３０の遊技盤１が嵌め込まれた開口部１３２、すなわち、前面枠本体１３０の中央より少し下側から上端部に渡る部分を覆って前記クリア部材保持枠１４０が配置されており、遊技盤１の前面と前記クリア部材保持枠１４０に嵌め込まれた後側のガラス板１４１裏面との間で、遊技盤１の前面に設けられたガイドレールに囲まれた部分が、遊技球が発射されて流下する遊技領域とされている。
【００１９】
また、クリア部材保持枠１４０の一方の側部（左側部）は、前面枠本体１３０の一方の側部（左側部）に回動可能に軸支されて、扉状に開閉自在とされ、クリア部材保持枠１４０を開くことにより、遊技盤１の前面側の遊技領域の前側を開放可能となっている。また、前面枠本体１３０及びクリア部材保持枠１４０はそれぞれ周知のパチンコ遊技機等の弾球遊技機と同様に鍵穴１５９にキーを差して回転させることで閉じた状態にロック可能となっている。
【００２０】
また、クリア部材保持枠１４０の前面側には、遊技領域の視認を妨げない位置に、複数の外部アピール装飾ランプ１１，…、サイドランプ１２，１２、スピーカ１３，１３が設けられている。外部アピール装飾ランプ１１，…は、クリア部材保持枠１４０の上部にあって、主に獲得遊技球数が大量となった場合に、これを周囲に報知するためのものである。例えば、入球数（遊技者が遊技機に打ち込んだ球数）と出球数（遊技球の入賞により出てきた賞球数）との差である差球数や差球数に対応する持球数に基づき、例えば、持球数（差球数）が高くなった場合に、持球数に対応する数の外部アピール装飾ランプ１１，…が点灯するようになっている。なお、上述のように封入球式遊技機１００では、賞球の払い出しは行われず、上述の出球数、入球数、差球数、持球数等は、実際の遊技球の個数ではなく、データ上の数値となる。すなわち、実際に使用される遊技球は、循環使用される限られた所定数（例えば、２５個）しかなく、例えば、遊技領域に発射される遊技球を検知してカウントした発射球数、発射されたが戻ってしまった遊技球を検知してカウントしたファール球数、遊技領域に発射されて回収された遊技球を検知してカウントした回収球数、入賞した場合の賞球数、遊技店から借りた球貸数等の数値から上述の入球数、出球数、差球数、持球数が得られる。
【００２１】
なお、クリア部材保持枠１４０を開放して遊技球が外に出てしまう等のトラブルがない限り、発射球数＝ファール球数＋回収球数（回収球数がファール球数を含まない場合）となる。そして、入球数＝回収球数＝発射球数−ファール球数となり、出球数＝賞球数＝入球数−球貸数（再プレイ球数）＋持球数となり、持球数＝球貸数（もしくは再プレイ球数）＋出球数−入球数、入球数−出球数＝差球数、持球数＝球貸数（もしくは再プレイ球数）−差球数となる。以上のように封入球式遊技機１００による遊技は、完全にデータ上の数値として行われることになり、遊技球をこぼしたり、遊技球を下皿や上皿に残したりすることによる誤差が生じることがなく、整数単位で確実に管理可能となる。しかし、多数の遊技球を得て、これを遊技球箱に溜めることとそれを周囲の人に見られることとにより遊技者が得られる満足感や優越感といったものが、持球数という数値の増加では得難い。そこで、外部アピール装飾ランプ１１，…は、点灯や発光色の変更により、遊技機の周囲に対して持球数が多いことをアピールすることで遊技者が満足感や優越感を得られるように用いられる。
【００２２】
なお、封入球式遊技機１００においては、持球数が数値として後述するタッチパネル表示ユニット１５１にデジタル表示されるが、持球数が多くなった場合に持球数のデジタル表示に加えて外部アピール装飾ランプ１１が上述のように持球数に対応して点灯したり、発光色を変更したりすることで、持球数が多いことを遊技者やその周囲の人に報知することができる。また、サイドランプ１２，１２は、遊技状態に対応して点灯、点滅、発光色の変更等の演出を行う。また、エラー発生時に通常と異なる発光を行うことによりエラー発生を報知する。
【００２３】
前面枠本体１３０の遊技盤１が取り付けられる開口部１３２の下側となる前面枠本体１３０の下部は、その前面側に後述の前面操作ユニット１５０が取り付けられると共に、その裏面側に後述の発射装置６０等が取り付けられる取付盤１３１となっている。また、取付盤１３１の前面側に取り付けられる前面操作ユニット１５０には、タッチパネル表示ユニット１５１、遊技領域に向けての遊技球の発射操作を行うための操作ハンドル１５２や灰皿１５３が設けられている。
【００２４】
タッチパネル表示ユニット１５１は、表示装置としてのＬＣＤパネルとタッチパネルとを有するもので、基本的な機能として、持球数の情報、金額情報（カード等の記憶媒体に記憶された残額等）、貯球情報（景品と交換せずに遊技店側に貯蓄した遊技球数等）等の遊技情報を表示し、実際の遊技球の払い出しがなくても、いつでも、持球数を確認できるようにすると共に、遊技者や遊技店の店員等に対してエラーの発生を含む各種情報を表示可能となっている。また、タッチパネル表示ユニット１５１は、タッチパネルとして、表示切替や、その他の表示内容に対応した入力操作を可能とするものである。なお、タッチパネル表示ユニット１５１は、封入球式遊技機１００の左右方向に設定された回転軸回りに回転して傾きを調整できるようになっており、遊技者の体格等に対応して遊技者が見やすい角度に変更可能となっている。
【００２５】
また、前面枠本体１３０下部の取付盤１３１の裏面側には、発射装置６０が設けられている。この発射装置６０は、取付盤１３１に取り付けられる取付プレート６４と、取付プレート６４に取り付けられる発射レール（図示略）と、発射レール上の遊技球を打撃して遊技球を発射させる発射杵６６等を備える。そして、発射杵６６を発射モータ（ステッピングモータ）により回転駆動することにより、発射レール上の遊技球を打撃して遊技領域へ発射するようになっている。また、前面枠本体１３０下部の取付盤１３１の裏面側には、発射装置６０を制御する発射制御装置６３、発射装置６０により遊技領域に発射された遊技球を回収して再び発射装置６０に供給する封入球循環装置２００が取り付けられている。この封入球循環装置２００の詳細な構成については後述する。
【００２６】
さらに、前面枠本体１３０下部の取付盤１３１の裏面側には、遊技盤１に取り付けられた装置を除く、前面枠１２０の例えば、外部アピール装飾ランプ１１，…、タッチパネル表示ユニット１５１、封入球循環装置２００、外部とのデータの通信装置等を制御する枠制御装置８０が設けられている。また、枠制御装置８０の裏面側には、封入球式遊技機１００内の各装置に電力を供給する電源供給装置７０が取り付けられている。
【００２７】
また、遊技盤１の裏面側には、遊技内容に係わる制御を統括的に行う遊技制御装置２０及びその制御下で遊技の演出に係わる制御を行う演出制御装置５０が設けられている。従って、遊技内容の制御に関する制御装置は遊技盤１に設けられており、遊技盤１を交換することにより、遊技内容に係わらない装置をそのまま流用して遊技内容だけを変更することが可能となっている。
【００２８】
遊技制御装置２０は、ＣＰＵ、ＲＡＭ、ＲＯＭ等を有するアミューズチップ（図示略）を備え、特図や普図の変動表示ゲームに関連する各種乱数値などを生成している。各種乱数値には、特図変動表示ゲームの大当り判定用乱数値、普図変動表示ゲームの当たり判定用乱数値などが含まれ、この乱数値に基づいて遊技制御装置２０は、特図や普図の変動表示ゲームの当たり、外れ等のゲームの結果を決定している。
【００２９】
また、遊技制御装置２０には、Ｉ／Ｏを介して各入賞口のセンサが接続され、これらセンサからの遊技球の検出信号が入力されるようになっている。そして、入賞口のセンサからの入力に基づき賞球が発生することになるが、封入球式遊技機１００においては、封入球式以外のパチンコ遊技機において、賞球としての遊技球の払い出しを制御する排出制御装置に代えて、賞球に関する情報が遊技制御装置２０から枠制御装置８０に出力されるようになっており、枠制御装置８０においては、賞球に関する情報に基づいて、持球数に賞球数を加算する演算処理が行われるようになっている。また、遊技制御装置２０においては、各センサから入力される信号に基づいて、特図及び普図の変動表示ゲームの進行の制御が行われる。また、遊技制御装置２０は、Ｉ／Ｏを介してソレノイドなどの駆動源を制御し、特図や普図の変動表示ゲームの結果に基づいて、特別変動入賞装置や普通変動入賞装置の開閉を行う。また、遊技制御装置２０は、Ｉ／Ｏを介して枠制御装置８０及び演出制御装置５０などに遊技に関する各種データを遊技機情報として送信している。
【００３０】
演出制御装置５０は、ＣＰＵ、ＲＯＭ、ＲＡＭ等を備えるとともに、ビデオ制御用の各種ＩＣを備え、パチンコ遊技機において周知のものであり、遊技制御装置２０における特図の変動表示ゲームの進行の制御に基づいて、変動表示装置（表示ユニット）における特図の変動表示ゲームの表示制御や、それに伴う遊技盤１等に設けられたランプ、ＬＥＤ等の発光による演出制御等を行う。
【００３１】
枠制御装置８０は、ＣＰＵ、ＲＡＭ、ＲＯＭ等と、音データを記憶したＲＯＭや、音信号を生成する音ＬＳＩ、音信号を増幅してスピーカに出力するアンプ、Ｉ／Ｏ等により構成されている。この枠制御装置８０においては、封入球循環装置２００の制御や、外部アピール装飾ランプ１１などにおけるＬＥＤ等の電気的発光源の点灯・消灯・発光色の変更等の制御、演出用の音楽、効果音等の制御などを行う。
【００３２】
また、枠制御装置８０は、Ｉ／Ｏを介して、封入球循環装置２００に設けられた各センサ（例えば、供給球検出センサ）からの信号が入力されるようになっている。そして、枠制御装置８０は、これら各センサからの入力信号や、遊技制御装置２０から入力された賞球に関する情報、貸球操作に関する情報に基づき、持球数を算出する演算処理を行うようになっている。これにより、枠制御装置８０においては、入球数、出球数（賞球数）、差球数、持球数を算出することが可能となる。また、枠制御装置８０は、持球数が１以上の場合に発射球の発射を許可し、持球数が０の場合に発射を禁止する制御信号を発射制御装置６３に出力し、持球数に基づく発射制御装置６３の制御を行うようになっている。
【００３３】
また、枠制御装置８０は、タッチパネル表示ユニット１５１のタッチパネルからの入力信号を処理すると共に、タッチパネル表示ユニット１５１のＬＣＤパネルへの画像表示を制御する。すなわち、ＬＣＤパネルには、予め設定された複数の画面のうちの１つの画面が表示されると共に、該表示画面にタッチパネル用のボタンが表示され、タッチパネルから前記ボタンの範囲内の座標位置が入力されると、予めボタンに対応して設定された処理を行うようになっている。なお、ＬＣＤパネルには、上述のボタン以外に、持球数、金額情報、変動表示ゲームの実行回数、非確変大当り回数、確変大当り回数等のデータ表示も行われる。また、枠制御装置８０は、後述する磁性体球検出装置２５０における磁性体球の検出に関する制御を行う。
【００３４】
発射制御装置６３は、ＣＰＵ、発射モータのドライバ回路、Ｉ／Ｏを備えており、Ｉ／Ｏには、操作ハンドル、球送り電磁石２４４が接続され、ドライバ回路には発射モータが接続されている。そして、発射制御装置６３は、枠制御装置８０からの発射許可の制御信号を受信した状態で、操作ハンドルの操作（回動角度）に基づく信号レベルにより、発射装置６０における遊技球の発射勢を制御する。また、操作ハンドル１５２に設けられたタッチセンサにおいて遊技者の手が検出された場合に、発射モータを制御して所定の時間間隔毎に遊技球を順次発射する制御を行う。また、発射制御装置６３は、発射装置６０による遊技球の発射のタイミングに合わせて、球送り電磁石２４４を作動させて、封入球循環装置２００から発射装置６０に遊技球を供給する制御を行う。
【００３５】
また、封入球式遊技機１００に隣接して、台間機３００（カードユニット）が設けられている。この台間機３００には、カードを挿入するカード挿入口３０１、現金（紙幣）を投入する現金投入口３０２が設けられている。そして、遊技者がカード挿入口３０１にカードを挿入すると、そのカードに記憶されている遊技者の持球数に対応する数値データに関する情報が枠制御装置８０に入力される。枠制御装置８０ではこの情報に基づき、タッチパネル表示ユニット１５１に持球数を表示するとともに遊技球の発射が可能となる。
【００３６】
一方、遊技者が現金投入口３０２から現金を投入した場合、例えば、１０００円を投入すると、金額に応じた遊技媒体（遊技球）数が持球数に加算されるとともに遊技球の発射が可能となる。なお、５０００円、１００００円を投入した場合は、最初の１０００円分のみが遊技媒体に変換され、残金はタッチパネル表示ユニット１５１に表示される（例えば、４０００円、９０００円と表示）。また、残金がある状態でタッチパネル表示ユニット１５１上の貸出ボタンを操作すると、１０００円分の遊技媒体が貸し出されるようになっている。
【００３７】
封入球循環装置２００は、所定数の遊技球が封入されており、発射装置６０によって遊技領域に発射された遊技球を回収、循環し、再び発射装置６０に供給するものである。この封入球循環装置２００は、図２に示すように、封入球式遊技機１００の裏面側となる前面枠本体１３０の裏面側にあって、上述の発射装置６０の背面側を覆うように配されている。なお、前面枠本体１３０の下部となる取付盤１３１は、その主要部となるほぼ垂直な平板部分が、前面枠本体１３０に固定された遊技盤１より前となるように構成されており、取付盤１３１の裏面に取り付けられる上述の発射装置６０が遊技盤１より前面側の遊技領域の略真下に配置されるようになっている。
【００３８】
この封入球循環装置２００の主要部は前側を形成する前壁部材２０１と、後側を形成する後壁部材２０２とから概略箱状に形成されており、上端部に各種の入賞口（特別変動入賞装置、一般入賞口、普通変動入賞装置）に入賞することなく流下したアウト球および各種の入賞口に入賞し、セーフ球排出経路を流下したセーフ球としての遊技球を回収する回収部２０３が形成されている。また、この回収部２０３に連通するように、封入球循環装置２００の内部には回収された遊技球が流下する循環経路２１０が形成されている。さらに、封入球循環装置２００には、ファール球としての遊技球を回収する図示しないファール球回収部が形成され、ここで回収されたファール球も循環経路２１０に流入するようになっている。
【００３９】
循環経路２１０は、封入球循環装置２００の前壁部材２０１、後壁部材２０２と、前壁部材２０１の後面に垂直に形成された板状の流路構成部材２０４によって形成された筒状の流路で、遊技球の直径よりも若干大きい内径を有し、遊技球が一列に循環経路２１０の延在方向に沿って重なり流下するようになっている。この循環経路２１０は、左右に蛇行して上下に折り重なるように形成されており、図４に示すように、下流側部分となる最下段の流路は、封入球循環装置２００の裏面側から見て、右端で折り返して左側へ下るように傾斜した流路となっている。なお、循環経路２１０の下流側部分には、封入球式遊技機１００の遊技中（遊技球を順次発射し、遊技領域に数個以上の遊技球が流下している状態）及び非遊技中（遊技球を発射していない状態）に係わらず遊技球が待機した状態とされ、遊技球の発射毎に待機していた遊技球が順次遊技球の直径となる距離だけ下方に移動するようになっている。すなわち、循環経路２１０の下流側部分は発射装置６０に供給される遊技球が待機する待機流路２１１となる。
【００４０】
循環経路２１０の下流側部分には、循環経路２１０内の遊技球を抜き取るための球抜き装置２３０が設けられ、下流側端部には発射装置６０に遊技球を供給するための球供給装置２４０が設けられている。また、封入球循環装置２００には、遊技球を検知する種々のセンサとして、発射球を検出する供給球検出センサ２４６、ファール球を検出するファール球センサ（図示略）、回収部で回収された遊技球を検出する球検出器をなす回収球センサ２０５、循環経路２１０内に待機する遊技球の不足を検出する球不足検出センサ（図示略）等が備えられている。なお、これらの遊技球を検出するセンサは、非磁性体球と磁性体球の両方を検出可能なセンサであって、例えば、フォトセンサやマイクロスイッチである。
【００４１】
また、循環経路２１０の長さは、封入球式遊技機１００内で循環する遊技球の全てを貯留可能な長さとされており、遊技球の発射を止めた状態で、循環経路２１０内に循環使用される遊技球をすべて収容した状態となる。また、循環使用される遊技球の個数は、遊技球を順次発射した際に、遊技球の回収が間に合わずに、遊技の発射ができない状態となることがない個数（例えば、２５個）とされている。なお、遊技領域での球詰まり等により遊技球が不足した場合には、球補充装置（図示略）により循環経路２１０に遊技球が補充されるようになっている。
【００４２】
球供給装置２４０は、循環経路２１０（待機流路２１１）の下流側端部に設けられ、傾斜により待機流路２１１上に一列に並んで待機する遊技球の荷重による遊技球の傾斜下側への移動を規制する規制壁２４１を備える。また、上述のように並んだ遊技球の最も傾斜下側の遊技球を一個だけ受ける球受け部２４２と、球受け部２４２で保持された遊技球を規制壁２４１を乗り越える高さまで上昇させる球送り部材２４３と、球送り部材２４３を昇降駆動する球送り電磁石２４４とを備える。さらに、規制壁２４１の球受け部２４２の反対側に形成され、規制壁２４１を乗り越えた遊技球を発射装置６０（発射レール上）に導出するための供給流路２４５と、供給流路２４５を通過する遊技球を検知する供給球検出センサ２４６と、供給流路２４５（封入球循環装置２００）の遊技球の発射装置６０への導出口となる球供給口２４７とを備える。
【００４３】
規制壁２４１は、傾斜した待機流路２１１上に並んだ遊技球の最も傾斜下側の遊技球を止め、規制壁２４１を乗り越えた遊技球だけを発射装置６０に流下させる供給流路２４５に移動可能とするものである。この規制壁２４１は、遊技球の半径程度の高さ（最も下に位置する球送り部材２４３の後述の球保持部２４３ａの上面からの高さ）を有し、上端部が待機流路２１１側に屈曲したＬ字形板状に形成されていて、待機流路２１１側に突出する先端部２４１ａが遊技球に当接することで、遊技球を球受け部２４２内（球送り部材２４３の球保持部２４３ａ上）に係止するようになっている。また、球受け部２４２は、規制壁２４１と直角に接合された状態の保持部底壁２４８を備え、規制壁２４１と保持部底壁２４８とがＬ字状となっている。
【００４４】
球送り部材２４３は、球受け部２４２の保持部底壁２４８上に配置されて、球受け部２４２に流入した遊技球を保持する球保持部２４３ａを備え、かつ、左右と後方側が開放したコ字状（チャネル状）に形成され、遊技球を封入球式遊技機１００の後方から見て右から左に通過させられるようになっている球保持部形成部２４３ｂを有する。なお、球保持部２４３ａは、コ字状の球保持部形成部２４３ｂの底部となる部分である。
【００４５】
また、球送り部材２４３は、球保持部形成部２４３ｂの上端部に、左右方向に沿って左方向（待機流路２１１が形成された側と反対側）に延出するアーム部２４３ｃを有する。アーム部２４３ｃの球保持部形成部２４３ｂが接続していない一端部は、球送り電磁石２４４の下部に延出する係合部２４４ａに回動可能に係合するようになっている。さらに、アーム部２４３ｃの上面であって、球送り電磁石２４４と対向する部分には、磁石が吸着可能な材質（例えば、鉄）からなる吸着片２４３ｄが設けられている。また、アーム部２４３ｃが球送り電磁石２４４の一部分に係合した部分の近傍には、アーム部２４３ｃの下方向への移動を規制する規制片２４３ｅが形成されている。
【００４６】
そして、アーム部２４３ｃは、球送り電磁石２４４が吸着片２４３ｄの吸着、解放を繰り返すことで、球送り電磁石２４４の係合部２４４ａに係合した部分を中心として、吸着片２４３ｄが球送り電磁石２４４に吸着された位置と、アーム部２４３ｃが規制片２４３ｅの上面に当接する位置との間の範囲で上下方向に回動することとなる。また、アーム部２４３ｃが回動するのに伴い、アーム部２４３ｃの一端にある球保持部形成部２４３ｂ（球保持部２４３ａ）は、上下に移動することとなる。アーム部２４３ｃがその回動範囲における上限となる位置にあるとき、すなわち、吸着片２４３ｄが球送り電磁石２４４に吸着された位置では、球保持部２４３ａの上面が、規制壁２４１の上端と略同じ高さになるようにされている。また、アーム部２４３ｃがその回動範囲における下限となる位置にあるとき、すなわち、アーム部２４３ｃが規制片２４３ｅの上面に当接した位置では、球保持部２４３ａの遊技球が載る上面が、待機流路２１１の下流側端部に連続して遊技球を受け入れ可能な位置となるようにされている。
【００４７】
以上のことから、球送り部材２４３は、球保持部形成部２４３ｂの球保持部２４３ａの遊技球が載る上面が待機流路２１１の下流側端部に連続して遊技球を受け入れ可能な位置と、球保持部２４３ａの上面が規制壁２４１の上端と略同じ高さとなる位置との間を昇降自在とされていることとなる。なお、球供給装置２４０が作動していない状態においては、球送り部材２４３のアーム部２４３ｃが、回動範囲における下限となる規制片２４３ｅの上面に当接した状態となるようにされており、遊技球を球保持部２４３ａに受け入れた状態で停止するようになっている。
【００４８】
また、球保持部２４３ａの上面は、裏面側から見て右から左に下るように傾斜し、待機流路２１１から球受け部２４２に配置された球送り部材２４３の球保持部２４３ａ上に流入した遊技球は、球保持部２４３ａ上でその傾斜により規制壁２４１側によって規制壁２４１に接触した状態となるようになっている。そして、図５に示すように、球送り部材２４３が球送り電磁石２４４により上昇させられ、球保持部２４３ａの上面が、規制壁２４１の上端と略同じ高さとなる位置に達した際に、球保持部２４３ａ上の遊技球が球保持部２４３ａの傾斜によって規制壁２４１を越えて供給流路２４５側に流下するようになっている。なお、球保持部２４３ａの一側端（待機流路２１１に臨む端部）は、上昇した場合に、待機流路２１１上で次に球送り部材２４３に送られる遊技球が球送り部材２４３の下に入り込むことがないように、待機流路２１１の最も下流側で待機する遊技球の直径より高く上がらないようになっている。そして、球保持部２４３ａが上昇した状態では、この次に球送り部材２４３に送られる遊技球が球保持部２４３ａの一側端に当接した状態となる。
【００４９】
ここで、球保持部２４３ａ上にある遊技球は、図４に示すように、規制壁２４１の待機流路２１１側に突出した先端部２４１ａに当接しているので、その一部が球保持部２４３ａの一側端（待機流路２１１に臨む端部）よりも待機流路２１１側に突出した状態となっている。よって、図５に示すように、球保持部２４３ａが上昇して、次に球送り部材２４３に送られる遊技球が球保持部２４３ａの一側端に当接した状態になると、球保持部２４３ａ上にある遊技球が上方に押し上げられ、より容易に規制壁２４１を越えられるようになっている。
【００５０】
球送り電磁石２４４は、アーム部２４３ｃの上面に設けられた吸着片２４３ｄを吸着可能な電磁石を備えるとともに、その一部分にアーム部２４３ｃの一端を回動可能に係合する下方に延出した係合部２４４ａを有する。この球送り電磁石２４４は、発射制御装置６３により発射装置６０と同期して制御され、発射装置６０が遊技球を発射した直後に、吸着片２４３ｄの吸着、解放を行うことで球送り部材２４３を昇降させ、遊技球を発射装置６０に送るようになっている。なお、球送り部材２４３は係合部２４４ａを中心に回動するように上下動するので、球送り電磁石２４４の吸着片２４３ｄを吸着する吸着面は、係合部２４４ａと中心とした円の半径に略沿うように斜めに配されている。
【００５１】
供給流路２４５は、規制壁２４１を挟んで球保持部形成部２４３ｂが配される側の反対側に形成され、規制壁２４１に沿って遊技球をほぼ真下に流下させた後に、前方に案内して、前方の球供給口２４７から遊技球を封入球循環装置２００の前側の発射装置６０側に導出するようになっている。また、供給流路２４５には、供給流路２４５を流下する遊技球を検出する供給球検出センサ２４６が設けられている。なお、供給球検出センサ２４６に検出された遊技球は、検出直後に発射装置６０に供給されて発射されるので、供給球検出センサ２４６は、発射装置６０の手前側であるが、遊技球の発射を検出する発射球センサも兼ねるものとなっている。
【００５２】
以上のような球供給装置２４０は、遊技球が規制壁２４１を乗り越えるように僅かに上昇させることにより、遊技球を一個ずつ発射装置６０に供給するようになっており、遊技球を傾斜に沿って流下させた状態で下側に一個ずつ排出する構造とした場合に比較して、球供給装置２４０の多くの部分が待機流路２１１に対して下側に配置されることがなく、球供給装置２４０が待機流路２１１より下側となることで、封入球循環装置２００の上下長さが長くなるのを防止し、封入球循環装置２００を小型化することができる。特に、封入球循環装置２００の上下幅を短くすることができる。
【００５３】
また、球供給装置２４０は、遊技球を規制壁２４１を乗り越えさせるために、その直径程度の長さだけ上昇させるものであり、遊技球を長い距離に渡って揚送するものではなく、封入球循環装置２００の循環経路２１０に最低限必要とされる上下幅の範囲内で十分に収容でき、確実に封入球循環装置２００の上下幅を短くすることができる。また、球供給装置２４０は、球送り電磁石２４４が球送り部材２４３を吸着するだけの簡単な構造であり、トラブルが発生する可能性が極めて低い。
【００５４】
図３に示すように、循環経路２１０（待機流路２１１）の下流側端部に隣接する球供給装置２４０の後面側には、遊技球を封入球循環装置２００から抜き出す球抜き装置２３０が設けられている。この球抜き装置２３０は、後壁部材２０２に形成された球抜き開口部と、これを開閉する板状の蓋部材２３２とを有する。球抜き開口部は、後壁部材２０２における球送り部材２４３の球保持部形成部２４３ｂと対向する位置に設けられており、その大きさは、遊技球１個が通過できる程度の大きさである。また、球抜き開口部を開閉するための板状の蓋部材２３２が、球抜き開口部を外側から覆うように、回動軸２３２ａを中心に回動可能に設けられている。
【００５５】
また、上述の球保持部２４３ａの上面は裏面側から向かって右から左に下るように傾斜しているが、後方へ向かって下る傾斜ともなっている。すなわち、球保持部２４３ａの上面は、封入球循環装置２００の裏面側から見て、右前方から左後方に下るように傾斜している。よって、蓋部材２３２を開放すれば、球保持部２４３ａ上の遊技球はその傾斜に沿って自然に球抜き開口部から外部に流出する。さらに、循環経路２１０内の遊技球も続いて外部に流出し、封入球循環装置２００内の遊技球を抜き取れるようになっている。以上のような球抜き装置２３０は、封入球式遊技機１００内に封入された遊技球を係員等の外部操作により取り出すためのもので、封入球式遊技機１００のメンテナンス、遊技球の交換などのために、封入球式遊技機１００から遊技球を取り出すために用いられる。
【００５６】
また、図４に示すように、循環経路２１０の最下段の流路の底面には、静電気除去部材２９２が設けられている。この静電気除去部材２９２はＬ字形に形成された金属板であって、一方の先端部には循環経路２１０を形成する流路構成部材２０４に係合できるように、コ字状に折り返した係合部２９３が形成されている。
【００５７】
この静電気除去部材２９２は、前壁部材２０１に形成された前後に貫通する開口２０７の後方から係合部２９３が形成された一端を挿入し、該係合部２９３を流路構成部材２０４の前端に係合させることで取り付けられている。さらに、前壁部材２０１の前面側に配される一端には、図示しないアース線が接続されるようになっている。また、静電気除去部材２９２が配される循環経路２１０の底面には、静電気除去部材２９２の厚みに等しい凹部が形成され、静電気除去部材２９２を配設しても段差ができないようにして遊技球の流下を妨げないようになっている。そして、この静電気除去部材２９２上を遊技球が流下することで、遊技球に帯電していた静電気が除去されるようになっている。
【００５８】
循環経路２１０の上流側部分であって、回収球センサ２０５が設けられた位置の下流側には、非磁性体からなる遊技球を封入した封入球式遊技機１００において、不正行為により磁性体からなる遊技球を混入されたことを検出する磁性体球検出装置２５０が設けられている。この磁性体球検出装置２５０は、図６に示すように、循環経路２１０を挟んで一側に磁石２５１を備えるとともに、他側に磁気検出センサ２５２を備えている。
【００５９】
循環経路２１０を挟んで一側に配された磁石２５１は永久磁石であり、循環経路２１０の磁性体球検出装置２５０が設けられた部分を流下する磁性体からなる遊技球を磁化可能なものである。この磁石２５１は、前壁部材２０１の前面側に形成された磁石保持部材（図示略）に保持されている。なお、磁石保持部材を形成せずに接着剤により接着することで磁石２５１を取り付けるようにしても良い。
【００６０】
また、循環経路２１０を挟んで他側に配された磁気検出センサ２５２は、磁石２５１により磁化された磁性体の遊技球の磁気を検出可能なものであって、磁気を検出することで検出信号を出力するようになっている。この磁気検出センサ２５２は、図３に示すように、センサ基板２５２ａに取り付けられており、該センサ基板２５２ａがセンサ取付カバー２５３で保持されるようになっている。また、センサ基板２５２ａには図示しないコネクタ部が備えられ、このコネクタ部を介して枠制御装置８０に対して検出信号を出力するようになっている。
【００６１】
センサ取付カバー２５３は矩形箱状のセンサ収納部２５３ａを有し、このセンサ収納部２５３ａ内にセンサ基板２５２ａを収納可能となっている。また、このセンサ取付カバー２５３には、センサ収納部２５３ａの上下に後壁部材２０２の後面に固定するためのねじ穴２５４ａを有する固定部２５４が形成されており、このねじ穴２５４ａに挿通したねじを後壁部材２０２に形成されたねじ止め部２０２ａに螺合することで、センサ取付カバー２５３が後壁部材２０２の後面の所定位置に取り付けられ、磁気検出センサ２５５が所定位置に取り付けられることとなる。
【００６２】
また、図７に示すように、磁気検出センサ２５２からの検出信号は、枠制御装置８０に入力されるようになっており、枠制御装置８０において磁性体からなる遊技球が混入されたことを検出できるようになっている。また、枠制御装置８０は、磁気検出センサ２５２からの検出信号の入力に基づき、枠表示装置（サイドランプ１２，１２）や、発射制御装置６３、外部情報端子８１に磁性体の遊技球の検出に関する情報の出力を行うようになっている。これにより、枠表示装置による報知や、発射制御装置６３による遊技球の発射の停止、外部情報端子８１から遊技機外部の管理装置（ホールコンピュータ）での報知が可能となる。
【００６３】
以上のことから、遊技機本体内に所定数封入した遊技球を、発射位置から遊技領域に発射して遊技を行う一方、遊技を終えた遊技球を回収して発射位置に導いて遊技球を循環使用する循環経路２１０を備えた封入球式遊技機１００において、非磁性体で形成した遊技球を封入し、循環経路２１０の所要部位に非磁性体で形成された遊技球は検出せずに磁性体で形成された遊技球のみを検出する磁性体球検出装置２５０を設け、磁性体球検出装置２５０は、循環経路２１０を挟んで一側に磁石２５１を備えるとともに、他側に磁石２５１により磁化された磁性体の遊技球の磁気を検出する磁気検出センサ２５２を備えたこととなる。
【００６４】
次に、上述した実施形態の封入球式遊技機１００の変形例について図８から１０を参照して説明する。なお、基本的には、上述の実施形態の封入球式遊技機と同様の構成を有しており、以下、主に異なる部分について説明する。本変形例の封入球式遊技機は、図８に示すように、磁性体球検出装置２５０の磁石を電磁石２５５で構成し、枠制御装置８０で制御できるようにしている。
【００６５】
図９に示すように、枠制御装置８０には、例えば可変抵抗器からなる磁力調整器８２が接続されており、これにより電磁石２５５の磁力を調整することができるようになっている。すなわち、枠制御装置８０が、磁性体球検出装置２５０を制御する制御装置をなし、枠制御装置８０、磁力調整器８２が電磁石２５５の磁力を変化させる磁力調整手段をなす。これにより、電磁石２５５や磁気検出センサ２５２の個体差や組み付け誤差により発生する、磁性体で形成された遊技球の検出感度のばらつきを、電磁石２５５の磁力を変化させることで調整できる。また、各ホールで独自の封入球を封入する場合は、その封入球に合わせて感度を調整できる。例えば、磁石不正ができないような弱い磁性体の遊技球を封入した場合に、その封入球を検出しないように調整できる。
【００６６】
以上のことから、磁性体球検出装置２５０を制御する制御装置（枠制御装置８０）を備え、磁石を電磁石２５５により構成し、制御装置は、電磁石２５５の磁力を変化させる磁力調整手段（枠制御装置８０、磁力調整器８２）を備えていることとなる。
【００６７】
また、枠制御装置８０は、磁性体球検出装置２５０の上流側に位置する回収球センサ２０５で遊技球を検出してから所定時間電磁石２５５をオンにする磁性体球検出処理を行うようになっている。
【００６８】
図１０に示すように、この磁性体球検出処理においては、まず回収球センサ２０５がオンであるか否かの判定（ステップＳ１）を行う。この回収球センサ２０５がオンであるか否かの判定（ステップＳ１）では、磁性体球検出装置２５０の上流側に配された回収球センサ２０５で遊技球を検出したかが判定される。
【００６９】
この回収球センサ２０５がオンであるか否かの判定（ステップＳ１）において、回収球センサ２０５がオンである場合（ステップＳ１；Ｙ）、すなわち遊技球を検出した場合は、電磁石２５５をオンにする処理（ステップＳ２）を行う。その後、電磁石タイマをセットする処理（ステップＳ３）を行い、電磁石タイマがタイムアップであるか否かの判定（ステップＳ４）を行う。また、回収球センサ２０５がオンであるか否かの判定（ステップＳ１）において、回収球センサ２０５がオンでない場合（ステップＳ１；Ｎ）、すなわち遊技球を検出していない場合は、電磁石タイマがタイムアップであるか否かの判定（ステップＳ４）を行う。
【００７０】
電磁石タイマがタイムアップであるか否かの判定（ステップＳ４）では、球検出器をなす回収球センサ２０５で遊技球を検出してから所定時間が経過したかが判定される。なお、この所定時間は、遊技球が球検出器をなす回収球センサ２０５を通過してから、磁性体球検出装置２５０を通過するのに十分な時間とされている。
【００７１】
この電磁石タイマがタイムアップであるか否かの判定（ステップＳ４）において、電磁石タイマがタイムアップである場合（ステップＳ４；Ｙ）、すなわち所定時間が経過した場合は、電磁石２５５をオフにする処理（ステップＳ５）を行い、磁気検出センサ２５２がオンであるか否かの判定（ステップＳ６）を行う。また、電磁石タイマがタイムアップであるか否かの判定（ステップＳ４）において、電磁石タイマがタイムアップでない場合（ステップＳ４；Ｎ）、すなわち所定時間が経過していない場合は、磁気検出センサ２５２がオンであるか否かの判定（ステップＳ６）を行う。
【００７２】
磁気検出センサ２５２がオンであるか否かの判定（ステップＳ６）では、磁気検出センサ２５２が電磁石２５５により磁化された遊技球の磁気を検出したかが判定される。磁気検出センサ２５２がオンであるか否かの判定（ステップＳ６）において、磁気検出センサがオンでない場合（ステップＳ６；Ｎ）、すなわち磁性体球を検出していない場合は、磁性体球検出処理を終了する。また、磁気検出センサ２５２がオンであるか否かの判定（ステップＳ６）において、磁気検出センサがオンである場合（ステップＳ６；Ｙ）、すなわち磁性体球を検出した場合は、磁性体球を検出したことを報知する処理（ステップＳ７）を行う。その後、遊技球の発射を停止する処理（ステップＳ８）を行い、磁性体球検出処理を終了する。
【００７３】
磁性体球を検出したことを報知する処理（ステップＳ７）においては、枠装飾装置をなすサイドランプ１２，１２を点灯、点滅させる処理を行い、磁性体球の検出を係員に知らせる。また、遊技球の発射を停止する処理（ステップＳ８）においては、磁性体球の検出に関する情報を発射制御装置６３に出力する処理を行い、遊技球の発射を停止させるようにする。
【００７４】
以上のような磁性体球検出処理により、必要なときだけ電磁石２５５がオンになり、電磁石２５５が発熱することで周囲の部材（例えば、合成樹脂からなる）が焦げたり溶解したりすることを防止できる。すなわち、枠制御装置８０が、球検出器（回収球センサ２０５）が遊技球を検出してから所定時間前記電磁石２５５をオンにする検出有効化手段をなす。
【００７５】
以上のことから、磁性体球検出装置２５０を制御する制御装置（枠制御装置８０）を備え、磁石を電磁石２５５により構成するとともに、循環経路２１０における磁性体球検出装置２５０の上流側に、通過する遊技球を検出可能な球検出器（回収球センサ２０５）を備え、制御装置は、球検出器が遊技球を検出してから所定時間電磁石２５５をオンにする検出有効化手段（枠制御装置８０）を備えたこととなる。
【００７６】
なお、磁気検出センサ２５２で磁性体球を検出し、遊技球の発射を停止する処理（ステップＳ８）を行った後、電磁石２５５をオフにする処理を行うようにしても良い。また、電磁石２５５の磁力を強くしてオンにしたままとして、磁性体球を磁性体球検出装置２５０で保持した状態としても良い。
また、アウト球、セーフ球、ファール球が通過する回収球センサ２０５が、磁性体球検出装置への遊技球の流入を検出する球検出器を兼ねるとしたが、別途センサを設けても良い。
【００７７】
以上のような封入球式遊技機１００は、遊技機本体内に所定数封入した遊技球を、発射位置から遊技領域に発射して遊技を行う一方、遊技を終えた遊技球を回収して発射位置に導いて遊技球を循環使用する循環経路２１０を備えた封入球式遊技機１００であって、非磁性体で形成した遊技球を封入し、循環経路２１０の所要部位に非磁性体で形成された遊技球は検出せずに磁性体で形成された遊技球のみを検出する磁性体球検出装置２５０を設け、磁性体球検出装置２５０は、循環経路２１０を挟んで一側に磁石２５１を備えるとともに、他側に磁石２５１により磁化された磁性体の遊技球の磁気を検出する磁気検出センサ２５２を備えている。
【００７８】
したがって、非磁性体で形成した遊技球を封入し、循環経路２１０の所要部位に非磁性体で形成された遊技球は検出せずに磁性体で形成された遊技球のみを検出する磁性体球検出装置２５０を設け、磁性体球検出装置２５０は、循環経路２１０を挟んで一側に磁石２５１を備えるとともに、他側に磁石２５１により磁化された磁性体の遊技球の磁気を検出する磁気検出センサ２５２を備えるので、磁性体の遊技球を確実に検出でき、不正な遊技球の交換を検出できる。すなわち、磁石による不正を行う目的で、磁性体の遊技球を封入球に混ぜられたり、全ての封入球を磁性体の遊技球に交換されたりする不正をされた場合に、その磁性体の遊技球を検出できる。また、小径球としてベアリングの球を混ぜられる不正をされた場合でも検出できる。
【００７９】
また、磁性体球検出装置２５０を制御する制御装置（枠制御装置８０）を備え、磁石を電磁石２５５により構成するとともに、循環経路２１０における磁性体球検出装置２５０の上流側に通過する遊技球を検出可能な球検出器（回収球センサ２０５）を備え、制御装置は、球検出器が遊技球を検出してから所定時間電磁石２５５をオンにする検出有効化手段（枠制御装置８０）を備えている。
【００８０】
したがって、磁性体球検出装置２５０を制御する制御装置（枠制御装置８０）を備え、磁石を電磁石２５５により構成するとともに、循環経路２１０における磁性体球検出装置２５０の上流側に通過する遊技球を検出可能な球検出器を備え、制御装置は、球検出器が遊技球を検出してから所定時間電磁石２５５をオンにする検出有効化手段を備えるので、必要な時だけ電磁石２５５がオンになり、電磁石２５５が発熱することで周囲の部材（例えば、合成樹脂からなる）が焦げたり溶解したりすることがない。
【００８１】
また、磁性体球検出装置２５０を制御する制御装置（枠制御装置８０）を備え、磁石を電磁石２５５により構成し、制御装置は、電磁石２５５の磁力を変化させる磁力調整手段（枠制御装置８０、磁力調整器８２）を備えることを特徴とする。
【００８２】
したがって、磁性体球検出装置２５０を制御する制御装置（枠制御装置８０）を備え、磁石を電磁石２５５により構成し、制御装置は、電磁石２５５の磁力を変化させる磁力調整手段を備えるので、検出感度を調整できる。すなわち、電磁石２５５や磁気検出センサ２５２の個体差や組み付け誤差により発生する、磁性体で形成された遊技球の検出感度のばらつきを、電磁石２５５の磁力を変化させることで調整できる。また、各ホールで独自の封入球を封入する場合は、その封入球に合わせて感度を調整できる。例えば、磁石不正ができないような弱い磁性体の遊技球を封入した場合に、その封入球を検出しないように調整できる。
【００８３】
なお、本発明の封入球式遊技機１００は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００８４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８５】
８０    枠制御装置（制御装置、磁力調整手段）
８２    磁力調整器（磁力調整手段）
１００  封入球式遊技機
２０５  回収球センサ（球検出器）
２１０  循環経路
２５１  磁石
２５５  電磁石
【図１】
2011136208.tif 000003
【図２】
2011136208.tif 000004
【図３】
2011136208.tif 000005
【図４】
2011136208.tif 000006
【図５】
2011136208.tif 000007
【図６】
2011136208.tif 000008
【図７】
2011136208.tif 000009
【図８】
2011136208.tif 000010
【図９】
2011136208.tif 000011
【図１０】
2011136208.tif 000012